(57)【特許請求の範囲】
【請求項１】
平面方形状の底板上にボトル底部を嵌入するボトル底部の嵌合部を形成してなるボトル用トレーにおいて、
前記嵌合部は、底板上に配設した中空状の略菱形凸部と底板の側端縁部と四隅に配設した略三角形凸部によって囲まれた角形凹部と、底板を凹ませて形成した円形凹部によって形成されており、前記円形凹部の下面には円形凹部の略中心に対応させてボトル頭部を挿入する円環リブを設け、底板の外周縁には底板よりも下方に突出した側板を設け、底板の周縁部に設けた略三角形凸部の外面に前記側板が嵌合する段部を設け、前記円環リブは側板よりも下方に突出しており、四隅の円環リブには底板の角部に向かう、円環リブと同じ高さの補強リブを設けたことを特徴とするボトル用トレー。
【請求項２】
略菱形凸部と略三角形凸部の先端に仕切壁を連設したことを特徴とする請求項１記載のボトル用トレー。
【請求項３】
略菱形凸部と略三角形凸部の先端に連設された仕切壁は離れていることを特徴とする請求項２記載のボトル用トレー。
【請求項４】
略菱形凸部と略三角形凸部の先端に連設された仕切壁は一体に連結していることを特徴とする請求項２記載のボトル用トレー。
【請求項５】
円形凹部の底面に透孔を設けたことを特徴とする請求項１〜４のいずれか１項に記載のボトル用トレー。
【発明の詳細な説明】
【０００１】
【発明の属する技術分野】
この発明は、ジュース、清涼飲料、コーヒー、紅茶等を充填したボトル、ペットボトル等のボトル類を保管、運搬したり、陳列する際に使用するボトル用トレーに関する。
【０００２】
【従来の技術】
従来、ジュース、清涼飲料、コーヒー、紅茶等はボトル、ペットボトル等のボトル類に充填されて流通している。これらのボトル類には、主として、容量が１．５リットルや２．０リットルのものが使用されており、サイズも形状も異なる。胴部の形状は、１．５リットルのものは円形であり、２．０リットルのものは角形のものが多く使用されている。これらのボトル類を保管、運搬したり、陳列する際には、パレット形式のボトル用トレーが用いられる。
【０００３】
これらのボトル用トレーは、例えば、実公平５−１８２６４号公報記載の「ボトル用パレット」及び実開平３−４５８６６号公報記載の「スタック可能なボトルトレー」のように、上面側に設けた嵌合部に下段のボトル（ペットボトル）の底部を嵌合して直立整列させるとともに、この直立したペットボトルの上部に別のボトル用パレットを載せて、下面側に設けた嵌合部にペットボトルの上部を嵌合させることによって積み重ねるようにしたものである。
【０００４】
しかしながら、上記公知のボトル用パレットは、一種類の大きさのものだけしか収納できないから、ボトルの種類だけ用意しなければならないという問題がある。また、上記公知のスタック可能なボトルトレーは、形状が異なる数種類のボトルを収納することができるものの、外径の小さいボトルを収納することはできない。また、ボトル底部を嵌合する受容部の形状が複雑で、収納する際に嵌合させ難いという問題がある。
【０００５】
形状の異なるボトルを混ぜ合わせて収納可能としたボトル用トレーには、特開２０００−８０６４６号公報記載のボトル体陳列用容器がある。この容器は、容器上面にボトル底部が嵌入する凹部を複数設け、前記凹部は、胴外径が円形ボトルの胴部の半周面が接する湾曲した壁面部と、胴外径が角形ボトルの胴部の少なくとも二つの角部が接する壁面部とを配して形成し、嵌入位置に保持しようとするものである。
【０００６】
【発明が解決しようとする課題】
上記構成のボトル体陳列用容器は、形状の異なるボトルを嵌入できるものの、ボトルを嵌入する凹部において円形ボトルの中心と角形ボトルの中心とがずれることになる。従って、垂直方向に段積みした場合には、荷重の中心がずれることになり、不安定な状態となる。また、ボトルを嵌入する際のケーサー（充填機）のピッチがボトルの大きさによって決まっているので、ボトルを嵌入する凹部におけるボトルの中心がずれると、ケーサーのピッチと一致しないことになる。凹部におけるボトルのピッチとケーサーのピッチが一致しないと、凹部の上端開口部が干渉してスムーズな充填ができない。
【０００７】
この発明は、かかる現況に鑑みてなされたもので、外径及び形状が異なる数種類のボトルを嵌入することができるとともに、安定した状態で段積みすることができるボトル用トレーを提供することを目的とするものである。
【０００８】
【課題を解決するための手段】
この発明は上記目的を達成するために次のような構成とした。即ち、この発明に係るボトル用トレーは、平面方形状の底板上にボトル底部を嵌入するボトル底部の嵌合部を形成してなるボトル用トレーにおいて、前記嵌合部は、底板上に配設した中空状の略菱形凸部と底板の側端縁部と四隅に配設した略三角形凸部によって囲まれた角形凹部と、底板を凹ませて形成した円形凹部によって形成されており、前記円形凹部の下面には円形凹部の略中心に対応させてボトル頭部を挿入する円環リブを設け、底板の外周縁には底板よりも下方に突出した側板を設け、底板の周縁部に設けた略三角形凸部の外面に前記側板が嵌合する段部を設けてなり、前記円環リブは側板よりも下方に突出しており、四隅の円環リブには底板の角部に向かう、円環リブと同じ高さの補強リブを設けたことを特徴とする。
【０００９】
また、この発明に係るボトル用トレーは、略菱形凸部と略三角形凸部の先端に仕切壁を連設してもよい。また、前記仕切壁は離れていてもよいし、一体に連結していてもよい。また、前記円形凹部の底面には透孔を設けることが好ましい。
【００１０】
【発明の実施の形態】
次に、図１及び図２に基づいて、この発明の実施形態について説明する。この実施形態では、嵌合部は、底板の上面に略菱形凸部と略三角形凸部をボトルを囲むように配設することによって形成されている角形凹部と、底板を凹ませて形成した円形凹部とから構成されている。
【００１１】
ボトル用トレー３０は、平面略方形状を呈しており、底板３１の上面にボトルを嵌入する嵌合部３３を設けてなる。前記嵌合部３３は、長手方向Ｘに３列、短手方向Ｙに４列それぞれ同一ピッチで設けられており、角形凹部３３ａと前記角形凹部３３ａの底面に形成される円形凹部３３ｂとからなる。前記嵌合部３３は、底板３１の内部に配設される略菱形凸部３５ａと、底板３１の側端縁に配設される略三角形凸部３５ｂと、底板３１の四隅に配設される略三角形凸部３５ｃとをボトルを囲むように配設することによって形成される。
【００１２】
即ち、嵌合部３３は、仕切壁を設けた場合にその仕切壁が交差する位置に前記凸部（略菱形凸部３５ａ、略三角形凸部３５ｂ、略三角形凸部３５ｃ）を立設することによって形成される。４箇所を中空状凸部３５ａ、３５ｂ、３５ｃで囲まれて形成される嵌合部３３は、縦横に同一ピッチで形成されており、角形凹部３３ａと円形凹部３３ｂとはほぼ同心に形成される。
【００１３】
前記略菱形凸部３５ａは、下部が底板３１の下面に開口部３６を有する中空状体であって、上面に透孔３７が穿設されている。略菱形凸部３５ａの角は底板３１の側端を向いており、仕切壁３９が連設されている。また、前記略三角形凸部３５ｂは、下部が底板３１の下面に開口部４０を有する中空状体であって、上面に透孔４１が穿設されている。略三角形凸部３５ｂの１つの面が底板３１の側端と同一面であって、角の先端には仕切壁４３が連設されている。また、四隅に配設される前記略三角形凸部３５ｃは、下部が底板３１の下面に開口部４５を有する中空状体であって、１つの角が底板３１の角と一致している。底板３１の側端と同一面の角の先端には、仕切壁４７が連設されている。
【００１４】
これらの略菱形凸部３５ａと仕切壁３９、略三角形凸部３５ｂと仕切壁４３、及び、略三角形凸部３５ｃと仕切壁４７でそれぞれ囲まれて底板３１上に角形凹部３３ａが形成される。前記仕切壁が嵌入した角形ボトルの周面に接し、それぞれボトルの移動を規制することによって嵌入状態を保持する。
【００１５】
円形凹部３３ｂは、底板３１を円形状に凹ませて形成されており、底面には中心に透孔５０、円形凹部３３ｂの周縁に沿って４つの略台形透孔５１が穿設されている。従って、円形凹部３３ｂの底面は円形底面と十字状に延びた帯状底面によって形成されている。前記円形底面の下面には、円環リブ５３が設けられており、前記円環リブ５３は、補強リブ５５によって連結されている。前記補強リブ５５は、十字状に延びた帯状底面の下面に設けられている。
【００１６】
底板３１の周側端にはほぼ垂直な側板６０が設けられている。底板３１は側板６０の中間位置に連結している。従って、側板６０の上端は底板３１の上面よりも上方に突出しており、下端は底板３１の下面よりも下方に突出している。側端縁に設けた略三角形凸部３５ｂと仕切壁４３、及び四隅に設けた略三角形凸部３５ｃと仕切壁４７のそれぞれの外側面には、側板６０が嵌合する段部６１が設けられている。
【００１７】
さらに、四隅の円環リブ５３には、底板３１の角部に向かう略Ｕ字状補強リブ５７が設けられている。前記略Ｕ字状補強リブ５７の高さは、円環リブと同一の高さに形成されている。一方、補強リブ５５は円環リブ５３よりも低いが、側板６０よりも下方に突出して形成されている。前記円環リブ５３は、下段のボトル用トレー３０の嵌合部３３にボトルを嵌入して上段にボトル用トレー３０を積み重ねたときに、下段のボトルの頭部が挿入されるように形成されている。
【００１８】
上記実施形態では、仕切壁３９，４３，４７は連結することなく間隔をあけて対向するように形成したが、互いに対向する先端を連結して一体に形成してもよい。この場合には、ボトル用トレー同士を積み重ねたとき、補強リブ５５が当接する仕切壁３９，４３，４７の各部分には補強リブ５５が入り込む切欠を設ければよい。
【００１９】
尚、前記円環リブ５３は補強リブ５５よりも下方に突出する高さに形成したが、補強リブ５５及び略Ｕ字状補強リブ５７とともにそれぞれ同一の高さに形成してもよい。また、円環リブ５３は、すべてのボトルに対応するように設けられているが、適宜の箇所の円環リブ５３を省略することができる。また、側板６０は、上面を底板３１の上面と同一面とし、下面のみを底板３１よりも下方に突出させる構成としてもよい。円環リブ５３の大きさは、複数種類のボトルのうち、一番大きいボトルの頭部に合わせて形成することは当然である。
【００２０】
下段のボトル用トレー３０の各嵌合部３３にボトルを嵌入して、その上に別のボトル用トレー３０を積み重ねると、上段のトレーの下面に設けた円環リブ５３に下段のボトル頭部を挿入することによって安定した状態で次々と積み重ねることができる。また、空のボトル用トレー３０を回収し保管する場合には、円環リブを下段のトレーの嵌合部３３内に挿入し、略菱形凸部３５ａと仕切壁３９、略三角形凸部３５ｂと仕切壁４３、及び、略三角形凸部３５ｃと仕切壁４７は側板６０内に嵌合するので、滑り落ちることがなく安定した状態で積み重ねることができる。
【００２１】
【発明の効果】
この発明にかかるボトル用トレーによれば、ボトルを嵌入する嵌合部は、円形凹部と角形凹部とを段状に形成したから、複数種類のボトルを嵌入することができるばかりでなく、前記円形凹部と角形凹部は、ほぼ同心に形成したから、複数種類のボトルを混在させることもできる。
【００２２】
【図面の簡単な説明】
【図１】  この発明の実施形態を示す上面斜視図である。
【図２】  同じく下面斜視図である。
【００２３】
【符号の説明】
３０  ボトル用トレー
３１  底板
３３  嵌合部
３３ａ  角形凹部
３３ｂ  円形凹部
３５  中空状凸部
３５ａ  略菱形凸部
３５ｂ、３５ｃ  略三角形凸部
３７  透孔
３９  仕切壁
４０  開口部
４１  透孔
４３  仕切壁
４５  開口部
４７  仕切壁
５０  透孔
５１  略台形状透孔
５３  円環リブ
５５  補強リブ
５７  Ｕ字状補強リブ
６０  側板
【図１】
0004986200.tif 000002
【図２】
0004986200.tif 000003